(57)【要約】      （修正有）【課題】特に、女性の使用者が、通常使用している下着を利用して温度調整材を携帯することができ、かつ、温度調整材を携帯することに伴う体型の変化を気にすることなく使用できる温度調整器具を提供する。【解決手段】身体Ｈの胸まわりを囲繞し、前記身体の両肩の前後に架け渡される一対のストラップ４によって前記身体に装着されるブラジャーに装着されて、前記身体周りの温度調整をなす温度調整手段６であって、前記両ストラップの前記肩の後方に位置させられる部位間に着脱可能に装着される保持部材と、この保持部材に装着される冷却機能若しくは加熱機能を備えた温度調整材８とからなる。【選択図】図３
0003188521.tif 000002
【実用新案登録請求の範囲】
【請求項１】
身体の胸まわりを囲繞し、前記身体の両肩の前後に架け渡される一対のストラップによって前記身体に装着されるブラジャーに装着されて、前記身体周りの温度調整をなす温度調整手段であって、前記両ストラップの前記肩の後方に位置させられる部位間に着脱可能に装着される保持部材と、この保持部材に装着される冷却機能若しくは加熱機能を備えた温度調整材とからなることを特徴とする温度調整手段。
【請求項２】
前記保持部材が可撓性を有する材料によって略矩形状に形成され、その両側部に、前記保持部材の内側の面に対向させられるように折り返されて、前記各ストラップを取り囲む空間部を形成する折り返し部が設けられ、これらの折り返し部と前記保持部材との対向面間に、これらを固定する面ファスナーが設けられていることを特徴とする請求項１に記載の温度調整手段。
【請求項３】
前記保持部材には、前記温度調整材が挿入される開口部を備えた収納部が設けられていることを特徴とする請求項１または請求項２に記載の温度調整手段。
【請求項４】
前記開口部に、この開口部を開閉可能に閉じる閉塞部材が設けられていることを特徴とする請求項３に記載の温度調整手段。
【請求項５】
前記閉塞部材が、面ファスナーであることを特徴とする請求項４に記載の温度調整手段。
【請求項６】
前記閉塞部材が、ホックであることを特徴とする請求項４に記載の温度調整手段。
【請求項７】
前記閉塞部材が、ボタンであることを特徴とする請求項４に記載の温度調整手段。
【考案の詳細な説明】
【技術分野】
【０００１】
本考案は、身体に装着されて身体回りの温度調整をなす温度調整手段に係わり、特に、女性に好適に適用される温度調整手段に関するものである。
【背景技術】
【０００２】
一般に、身体が感じる夏期における暑さや冬期における寒さを和らげるために、たとえば、カイロや保冷材といった温度調整材を携帯することにより、身体回りの雰囲気温度を調整することが行なわれている。
【０００３】
このような温度調整手段を携帯する際の一方法として、たとえば、特許文献１に示されるように、胸部被覆部と背部被覆部とが連続して形成され、かつ、両腕が挿通される一対の開口部が形成されたスーツを用い、前記背部被覆部の人体との接触面に袋を形成しておき、この袋に、温度調整材としての保冷パットを挿入した後に、前記スーツを、その両開口部に両腕を挿入して胸を取り囲むように装着することにより、前記保冷パットを人体の背部近傍に保持することが提案されている。
【先行技術文献】
【特許文献】
【０００４】
【特許文献１】特開２０１１−６５８１４号公報
【考案の概要】
【考案が解決しようとする課題】
【０００５】
前述した技術により、温度調整材を人体の背部に容易に携帯することが可能となったが、なお、つぎのような改善すべき点が残されている。
【０００６】
すなわち、前述した技術においては、使用者は、前記温度調整材を携帯するために専用のスーツを用いなければならず、かつ、自身の体型に応じた専用のスーツを用意しなければならないといった問題点である。
【０００７】
また、前記スーツは、胸、背中、および、肩を覆うように形成されていることから、人体の上半身の殆どが覆われた状態での使用形態となり、使用者の上半身の体型が変化してしまうことが懸念され、特に、女性にとっては、使用する際の障害となる。
【０００８】
本考案は、前述した従来の技術において残されている問題点に鑑みてなされたもので、特に，女性の使用者が、通常使用している下着を利用して温度調整材を携帯することができ、かつ、温度調整材を携帯することに伴う体型の変化を気にすることなく使用できる温度調整手段を提供することを課題とする。
【課題を解決するための手段】
【０００９】
本考案の温度調整手段は、前述した課題を解決するために、身体の胸まわりを囲繞し、前記身体の両肩の前後に架け渡される一対のストラップによって前記身体に装着されるブラジャーに装着されて、前記身体周りの温度調整をなす温度調整手段であって、前記両ストラップの前記肩の後方に位置させられる部位間に着脱可能に装着される保持部材と、この保持部材に装着される冷却機能若しくは加熱機能を備えた温度調整材とからなることを特徴とする。
【００１０】
このような構成とすることにより、使用者は、自身が使用するブラジャーの、肩の後方に位置させられるストラップ間に、前記温度調整材が装着された保持部材を装着することによって、前記温度調整手段を背中に背負うようにして携帯することができる。
【００１１】
そして、携帯した状態において、前記温度調整手段が、身体と前記ブラジャーを覆って羽織られる上着との間に形成される空間部において、その内部の空気を加熱し、あるいは、冷却する。
【００１２】
これによって、使用者の身体の上半身まわりの雰囲気温度が暖められ若しくは冷やされて、寒さや暑さが抑制される。
【００１３】
一方、前記温度調整手段を携帯した状態において、ブラジャーは通常使用しているものであるから使用者の体型変化に影響を与えるものではなく、このブラジャーを介して背中に沿うように位置させられる前記温度調整手段による体型変化となる。
【００１４】
しかしながら、前記保持部材が、前記ブラジャーを構成するバンドとほぼ同一面上に位置されることから、前記温度調整手段を装着したことによる体型変化が最小限度に抑制される。
【００１５】
ここで、前記保持部材や温度調整材の厚みを調整することにより、前記温度調整手段によって生じる体型変化をさらに抑制することができる。
【００１６】
そして、前記保持部材が可撓性を有する材料によって略矩形状に形成され、その両側部に、前記保持部材の内側の面に対向させられるように折り返されて、前記各ストラップを取り囲む空間部を形成する折り返し部が設けられ、これらの折り返し部と前記保持部材との対向面間に、これらを固定する面ファスナーが設けられた構成とすることができる。
【００１７】
このような構成とすることにより、前記面ファスナーによって、前記折り返し部の折り返し量を調整することにより、前記ストラップを取り囲む前記空間部の位置を調整することができる。
【００１８】
したがって、一対の前記空間部の間隔を調整することができるので、前記ストラップ間の間隔の変化に対応させることができ、形状の異なるブラジャーへの対応が容易で、その適用範囲を広げることができる。
【００１９】
一方、前記温度調整材は、たとえば、粘着テープや面ファスナー、あるいは、フック部材やクリップ等を用いて、前記保持部材の面に装着することができる。
【００２０】
また、前記保持部材を、前記温度調整材が挿入される開口部を備えた収納部が設けられた構成とすることにより、前記温度調整材を、前記保持部材で包み込むようにして保持することができる。
【００２１】
このような構成とすることにより、前記温度調整材が身体に直接接触することを防止して、身体の皮膚を保護することができる。
【００２２】
また、前記開口部に、この開口部を開閉可能に閉じる閉塞部材を設けておくことにより、前記温度調整材の落下を防止し、あるいは、前記温度調整材のずれを抑制することができ、安定した使用感を得ることができる。
【００２３】
そして、前記閉塞部材として、面ファスナーやホック、あるいは、ボタン等が用いられる。
【考案の効果】
【００２４】
このように、本考案の温度調整手段によれば、使用者は、温度調整手段を、通常使用しているブラジャーを用いて携帯することができるので、手軽に携帯することができ、また、携帯することによる身体の体型の変化を極力抑えて、特に、女性の利用に好適に用いることができる。
【図面の簡単な説明】
【００２５】
【図１】本考案の一実施形態が適用されるブラジャーを前方から見た外観斜視図である。
【図２】本考案の一実施形態が適用されるブラジャーを後方から見た外観斜視図である。
【図３】本考案の一実施形態の使用状態を示すもので、後方から見た斜視図である。
【図４】本考案の一実施形態を示す分解斜視図である。
【考案を実施するための形態】
【００２６】
以下、本考案の一実施形態を図１ないし図４を参照して説明する。
まず、本実施形態の説明に先立って、本実施形態が適用されるブラジャーについて、図１および図２を参照して説明する。
【００２７】
これらの図に例示するブラジャー１は、身体（Ｈ）の乳房を覆う一対のカップ２と、それぞれのカップ２の側部に延設され、前記身体Ｈの各脇から背中へ沿わされて、この背中において連結される一対のバンド３と、それぞれのバンド３と前記カップ２との間に取り付けられて、これらのカップ２およびバンド３を前記身体Ｈの肩に吊り下げる一対のストラップ４にとによって構成されている。
【００２８】
そして、図３に示すように、本実施形態に係わる温度調整手段６が、前記両ストラップ４の、背中に対向位置させられる部位間に装着される。
【００２９】
この温度調整手段６は、前記両ストラップ４間に着脱可能に装着される保持部材７と、この保持部材７に装着される冷却機能若しくは加熱機能を備えた温度調整材８とによって構成されている。
【００３０】
前記保持部材７は、可撓性を有し、好ましくは通気性の高い織物若しくは不織布によって形成されるもので、本実施形態では、略矩形状に形成されているとともに、略中央部に、図３および図４に示すように、上方に開口（開口部９ａ）する収納部９が形成されている。
【００３１】
また、前記保持部材７の前記収納部９を挟んだ両側部には、前記保持部材７の内側の面に対向させられるように折り返されて、前記各ストラップ４を取り囲む空間部１０ａを形成する折り返し部１０が設けられ、これらの折り返し部１０と前記保持部材７との対向面間に、これらを固定する面ファスナー１１が設けられている。
【００３２】
そして、前記開口部９ａには、この開口部９ａを開閉可能に閉じる閉塞部材１２が設けられており、この閉塞部材１２は、面ファスナーやホック、チャック、あるいは、ボタン等によって構成される。
【００３３】
このように構成された本実施形態に係わる温度調整手段６は、図４に矢印で示すように、前記温度調整材８を前記保持部材７の収納部９に、その開口部９ａを介して収納した後に、この開口部９ａを前記閉塞部材１２によって閉塞した状態で前記ブラジャー１へ装着される。
【００３４】
このブラジャー１への装着は、使用者の好みによって、このブラジャー１を身体Ｈに着けた状態で行なうか、もしくは、着ける前に行なうか選択される。
【００３５】
そして、何れの手順で前記ブラジャー１へ装着する場合でも、まず、前記保持部材７の両側部に設けられている折り返し部１０をそれぞれ開いた状態とし、これらの折り返し部１０を、前記各ストラップ４を包み込むようにして折り曲げた後に、前記保持部材７に、前記面ファスナー１１によって固定する。
【００３６】
このような操作により、前記折り返し部１０と前記保持部材７とによって前記各ストラップ４が取り囲まれることにより、これらのストラップ４間に本実施形態に係わる温度調整手段６が装着される。
【００３７】
ここで、前記面ファスナー１１の重畳位置を調整して前記折り返し部１０の固定位置を変更することにより、この折り返し部１０によって形成される空間部１０ａ、すなわち、前記ストラップ４の取り付け位置の調整を行なうことができる。
【００３８】
したがって、装着するブラジャー１の形状等に応じて前記折り返し部１０の固定位置を調整することにより、種々の形状のブラジャー１へ装着することができ、高い汎用性を確保することができる。
【００３９】
そして、前記温度調整手段６が装着された状態の前記ブラジャー１を使用者が装着すると、前記温度調整手段６が、前記使用者の背中に接触ないしは対向させられた状態に保持され、さらに、使用者が着る上着によって覆われて携帯状態となされる。
【００４０】
このような携帯状態において、前記温度調整材８が保冷材である場合には、前記上着と使用者の身体Ｈとの間の空間部が冷却されて、使用者に涼感を与え、前記温度調整材８がカイロ等である場合には、使用者に暖を与える。
【００４１】
前述したように、前記ブラジャー１は、前記温度調整手段６の使用者が普段使用しているものであり、このブラジャー１による体型の変化はなく、体型の変化は、このブラジャー１に装着された前記温度調整手段６によって生じる。
【００４２】
しかしながら、前記温度調整手段６は、前記ブラジャー１のストラップ４間に、使用者の背中に対向して保持されるので、前記温度調整手段６が、前記ブラジャー１の前記バンド３と略同一面に位置させられることとなる。
【００４３】
この結果、前記温度調整手段６の、前記ブラジャー１からの突出量が抑えられて、体型変化が抑えられる。
【００４４】
なお、前記実施形態において示した各構成部材の諸形状や寸法等は一例であって、設計要求等に基づき種々変更可能である。
【符号の説明】
【００４５】
１  ブラジャー
２  カップ
３  バンド
４  ストラップ
５  フック
６  温度調整手段
７  保持部材
８  温度調整材
９  収納部
９ａ  開口部
１０  折り返し部
１０ａ  空間部
１１  面ファスナー
１２  閉塞部材
Ｈ  人体
【図１】
0003188521.tif 000003
【図２】
0003188521.tif 000004
【図３】
0003188521.tif 000005
【図４】
0003188521.tif 000006
【手続補正書】
【提出日】平成25年11月15日(2013.11.15)
【手続補正１】
【補正対象書類名】実用新案登録請求の範囲
【補正対象項目名】全文
【補正方法】変更
【補正の内容】
【実用新案登録請求の範囲】
【請求項１】
身体の胸まわりを囲繞し、前記身体の両肩の前後に架け渡される一対のストラップによって前記身体に装着されるブラジャーに装着されて、前記身体周りの温度調整をなす温度調整器具であって、前記両ストラップの前記肩の後方に位置させられる部位間に着脱可能に装着される保持部材と、この保持部材に装着される冷却機能若しくは加熱機能を備えた温度調整材とからなることを特徴とする温度調整器具。
【請求項２】
前記保持部材が可撓性を有する材料によって略矩形状に形成され、その両側部に、前記保持部材の内側の面に対向させられるように折り返されて、前記各ストラップを取り囲む空間部を形成する折り返し部が設けられ、これらの折り返し部と前記保持部材との対向面間に、これらを固定する面ファスナーが設けられていることを特徴とする請求項１に記載の温度調整器具。
【請求項３】
前記保持部材には、前記温度調整材が挿入される開口部を備えた収納部が設けられていることを特徴とする請求項１または請求項２に記載の温度調整器具。
【請求項４】
前記開口部に、この開口部を開閉可能に閉じる閉塞部材が設けられていることを特徴とする請求項３に記載の温度調整器具。
【請求項５】
前記閉塞部材が、面ファスナーであることを特徴とする請求項４に記載の温度調整器具。
【請求項６】
前記閉塞部材が、ホックであることを特徴とする請求項４に記載の温度調整器具。
【請求項７】
前記閉塞部材が、ボタンであることを特徴とする請求項４に記載の温度調整器具。
【手続補正２】
【補正対象書類名】明細書
【補正対象項目名】全文
【補正方法】変更
【補正の内容】
【考案の詳細な説明】
【技術分野】
【０００１】
本考案は、身体に装着されて身体回りの温度調整をなす温度調整器具に係わり、特に、女性に好適に適用される温度調整器具に関するものである。
【背景技術】
【０００２】
一般に、身体が感じる夏期における暑さや冬期における寒さを和らげるために、たとえば、カイロや保冷材といった温度調整材を携帯することにより、身体回りの雰囲気温度を調整することが行なわれている。
【０００３】
このような温度調整材を携帯する際の一方法として、たとえば、特許文献１に示されるように、胸部被覆部と背部被覆部とが連続して形成され、かつ、両腕が挿通される一対の開口部が形成されたスーツを用い、前記背部被覆部の人体との接触面に袋を形成しておき、この袋に、温度調整材としての保冷パットを挿入した後に、前記スーツを、その両開口部に両腕を挿入して胸を取り囲むように装着することにより、前記保冷パットを人体の背部近傍に保持することが提案されている。
【先行技術文献】
【特許文献】
【０００４】
【特許文献１】特開２０１１−６５８１４号公報
【考案の概要】
【考案が解決しようとする課題】
【０００５】
前述した技術により、温度調整材を人体の背部に容易に携帯することが可能となったが、なお、つぎのような改善すべき点が残されている。
【０００６】
すなわち、前述した技術においては、使用者は、前記温度調整材を携帯するために専用のスーツを用いなければならず、かつ、自身の体型に応じた専用のスーツを用意しなければならないといった問題点である。
【０００７】
また、前記スーツは、胸、背中、および、肩を覆うように形成されていることから、人体の上半身の殆どが覆われた状態での使用形態となり、使用者の上半身の体型が変化してしまうことが懸念され、特に、女性にとっては、使用する際の障害となる。
【０００８】
本考案は、前述した従来の技術において残されている問題点に鑑みてなされたもので、特に，女性の使用者が、通常使用している下着を利用して温度調整材を携帯することができ、かつ、温度調整材を携帯することに伴う体型の変化を気にすることなく使用できる温度調整器具を提供することを課題とする。
【課題を解決するための手段】
【０００９】
本考案の温度調整器具は、前述した課題を解決するために、身体の胸まわりを囲繞し、前記身体の両肩の前後に架け渡される一対のストラップによって前記身体に装着されるブラジャーに装着されて、前記身体周りの温度調整をなす温度調整器具であって、前記両ストラップの前記肩の後方に位置させられる部位間に着脱可能に装着される保持部材と、この保持部材に装着される冷却機能若しくは加熱機能を備えた温度調整材とからなることを特徴とする。
【００１０】
このような構成とすることにより、使用者は、自身が使用するブラジャーの、肩の後方に位置させられるストラップ間に、前記温度調整材が装着された保持部材を装着することによって、前記温度調整器具を背中に背負うようにして携帯することができる。
【００１１】
そして、携帯した状態において、前記温度調整器具が、身体と前記ブラジャーを覆って羽織られる上着との間に形成される空間部において、その内部の空気を加熱し、あるいは、冷却する。
【００１２】
これによって、使用者の身体の上半身まわりの雰囲気温度が暖められ若しくは冷やされて、寒さや暑さが抑制される。
【００１３】
一方、前記温度調整器具を携帯した状態において、ブラジャーは通常使用しているものであるから使用者の体型変化に影響を与えるものではなく、このブラジャーを介して背中に沿うように位置させられる前記温度調整器具による体型変化となる。
【００１４】
しかしながら、前記保持部材が、前記ブラジャーを構成するバンドとほぼ同一面上に位置されることから、前記温度調整器具を装着したことによる体型変化が最小限度に抑制される。
【００１５】
ここで、前記保持部材や温度調整材の厚みを調整することにより、前記温度調整器具によって生じる体型変化をさらに抑制することができる。
【００１６】
そして、前記保持部材が可撓性を有する材料によって略矩形状に形成され、その両側部に、前記保持部材の内側の面に対向させられるように折り返されて、前記各ストラップを取り囲む空間部を形成する折り返し部が設けられ、これらの折り返し部と前記保持部材との対向面間に、これらを固定する面ファスナーが設けられた構成とすることができる。
【００１７】
このような構成とすることにより、前記面ファスナーによって、前記折り返し部の折り返し量を調整することにより、前記ストラップを取り囲む前記空間部の位置を調整することができる。
【００１８】
したがって、一対の前記空間部の間隔を調整することができるので、前記ストラップ間の間隔の変化に対応させることができ、形状の異なるブラジャーへの対応が容易で、その適用範囲を広げることができる。
【００１９】
一方、前記温度調整材は、たとえば、粘着テープや面ファスナー、あるいは、フック部材やクリップ等を用いて、前記保持部材の面に装着することができる。
【００２０】
また、前記保持部材を、前記温度調整材が挿入される開口部を備えた収納部が設けられた構成とすることにより、前記温度調整材を、前記保持部材で包み込むようにして保持することができる。
【００２１】
このような構成とすることにより、前記温度調整材が身体に直接接触することを防止して、身体の皮膚を保護することができる。
【００２２】
また、前記開口部に、この開口部を開閉可能に閉じる閉塞部材を設けておくことにより、前記温度調整材の落下を防止し、あるいは、前記温度調整材のずれを抑制することができ、安定した使用感を得ることができる。
【００２３】
そして、前記閉塞部材として、面ファスナーやホック、あるいは、ボタン等が用いられる。
【考案の効果】
【００２４】
このように、本考案の温度調整器具によれば、使用者は、温度調整器具を、通常使用しているブラジャーを用いて携帯することができるので、手軽に携帯することができ、また、携帯することによる身体の体型の変化を極力抑えて、特に、女性の利用に好適に用いることができる。
【図面の簡単な説明】
【００２５】
【図１】本考案の一実施形態が適用されるブラジャーを前方から見た外観斜視図である。
【図２】本考案の一実施形態が適用されるブラジャーを後方から見た外観斜視図である。
【図３】本考案の一実施形態の使用状態を示すもので、後方から見た斜視図である。
【図４】本考案の一実施形態を示す分解斜視図である。
【考案を実施するための形態】
【００２６】
以下、本考案の一実施形態を図１ないし図４を参照して説明する。
まず、本実施形態の説明に先立って、本実施形態が適用されるブラジャーについて、図１および図２を参照して説明する。
【００２７】
これらの図に例示するブラジャー１は、身体（Ｈ）の乳房を覆う一対のカップ２と、それぞれのカップ２の側部に延設され、前記身体Ｈの各脇から背中へ沿わされて、この背中において連結される一対のバンド３と、それぞれのバンド３と前記カップ２との間に取り付けられて、これらのカップ２およびバンド３を前記身体Ｈの肩に吊り下げる一対のストラップ４にとによって構成されている。
【００２８】
そして、図３に示すように、本実施形態に係わる温度調整器具６が、前記両ストラップ４の、背中に対向位置させられる部位間に装着される。
【００２９】
この温度調整器具６は、前記両ストラップ４間に着脱可能に装着される保持部材７と、この保持部材７に装着される冷却機能若しくは加熱機能を備えた温度調整材８とによって構成されている。
【００３０】
前記保持部材７は、可撓性を有し、好ましくは通気性の高い織物若しくは不織布によって形成されるもので、本実施形態では、略矩形状に形成されているとともに、略中央部に、図３および図４に示すように、上方に開口（開口部９ａ）する収納部９が形成されている。
【００３１】
また、前記保持部材７の前記収納部９を挟んだ両側部には、前記保持部材７の内側の面に対向させられるように折り返されて、前記各ストラップ４を取り囲む空間部１０ａを形成する折り返し部１０が設けられ、これらの折り返し部１０と前記保持部材７との対向面間に、これらを固定する面ファスナー１１が設けられている。
【００３２】
そして、前記開口部９ａには、この開口部９ａを開閉可能に閉じる閉塞部材１２が設けられており、この閉塞部材１２は、面ファスナーやホック、チャック、あるいは、ボタン等によって構成される。
【００３３】
このように構成された本実施形態に係わる温度調整器具６は、図４に矢印で示すように、前記温度調整材８を前記保持部材７の収納部９に、その開口部９ａを介して収納した後に、この開口部９ａを前記閉塞部材１２によって閉塞した状態で前記ブラジャー１へ装着される。
【００３４】
このブラジャー１への装着は、使用者の好みによって、このブラジャー１を身体Ｈに着けた状態で行なうか、もしくは、着ける前に行なうか選択される。
【００３５】
そして、何れの手順で前記ブラジャー１へ装着する場合でも、まず、前記保持部材７の両側部に設けられている折り返し部１０をそれぞれ開いた状態とし、これらの折り返し部１０を、前記各ストラップ４を包み込むようにして折り曲げた後に、前記保持部材７に、前記面ファスナー１１によって固定する。
【００３６】
このような操作により、前記折り返し部１０と前記保持部材７とによって前記各ストラップ４が取り囲まれることにより、これらのストラップ４間に本実施形態に係わる温度調整器具６が装着される。
【００３７】
ここで、前記面ファスナー１１の重畳位置を調整して前記折り返し部１０の固定位置を変更することにより、この折り返し部１０によって形成される空間部１０ａ、すなわち、前記ストラップ４の取り付け位置の調整を行なうことができる。
【００３８】
したがって、装着するブラジャー１の形状等に応じて前記折り返し部１０の固定位置を調整することにより、種々の形状のブラジャー１へ装着することができ、高い汎用性を確保することができる。
【００３９】
そして、前記温度調整器具６が装着された状態の前記ブラジャー１を使用者が装着すると、前記温度調整器具６が、前記使用者の背中に接触ないしは対向させられた状態に保持され、さらに、使用者が着る上着によって覆われて携帯状態となされる。
【００４０】
このような携帯状態において、前記温度調整材８が保冷材である場合には、前記上着と使用者の身体Ｈとの間の空間部が冷却されて、使用者に涼感を与え、前記温度調整材８がカイロ等である場合には、使用者に暖を与える。
【００４１】
前述したように、前記ブラジャー１は、前記温度調整器具６の使用者が普段使用しているものであり、このブラジャー１による体型の変化はなく、体型の変化は、このブラジャー１に装着された前記温度調整器具６によって生じる。
【００４２】
しかしながら、前記温度調整器具６は、前記ブラジャー１のストラップ４間に、使用者の背中に対向して保持されるので、前記温度調整器具６が、前記ブラジャー１の前記バンド３と略同一面に位置させられることとなる。
【００４３】
この結果、前記温度調整器具６の、前記ブラジャー１からの突出量が抑えられて、体型変化が抑えられる。
【００４４】
なお、前記実施形態において示した各構成部材の諸形状や寸法等は一例であって、設計要求等に基づき種々変更可能である。
【符号の説明】
【００４５】
１  ブラジャー
２  カップ
３  バンド
４  ストラップ
５  フック
６  温度調整器具
７  保持部材
８  温度調整材
９  収納部
９ａ  開口部
１０  折り返し部
１０ａ  空間部
１１  面ファスナー
１２  閉塞部材
Ｈ  人体